(57)【要約】【課題】表示領域の周囲の額縁領域の面積を小さくすることができる表示装置を提供する。【解決手段】水平方向に延在する複数のゲート線ＧＬと、垂直方向に延在する複数のソース線ＳＬと、ゲート信号を出力するゲート信号出力端子ＧＴ及びソース信号を出力するソース信号出力端子ＳＴを含むドライバＩＣと、ゲート信号出力端子ＧＴから出力されたゲート信号を複数のゲート線ＧＬに伝達する、垂直方向に延在する複数のゲート引出線ＧＤと、を含み、ゲート信号出力端子ＧＴは、水平方向に隣り合う２つのソース信号出力端子ＳＴの間に配置される。【選択図】図１１
2016071083.tif 000002
【特許請求の範囲】
【請求項１】
第１方向に延在する複数のゲート線と、
前記第１方向とは異なる第２方向に延在する複数のソース線と、
ゲート信号を出力する少なくとも１つのゲート信号出力端子から成る第１出力端子群と、ソース信号を出力する少なくとも１つのソース信号出力端子から成る第２出力端子群と、を含む駆動回路と、
前記ゲート信号出力端子から出力された前記ゲート信号を前記複数のゲート線に伝達する、前記第２方向に延在する複数のゲート引出線と、を含み、
前記複数のゲート線のそれぞれは、少なくとも１本の前記ゲート引出線に電気的に接続され、
前記第１出力端子群は、前記第１方向に隣り合う２つの前記第２出力端子群の間に配置される、
ことを特徴とする表示装置。
【請求項２】
前記ソース信号出力端子から出力された前記ソース信号を前記複数のソース線に伝達する、複数のソース引出線をさらに含み、
表示領域外において、前記複数のソース引出線と前記複数のゲート引出線とは、平面的に見て、互いに交差しないように配置される、
ことを特徴とする請求項１に記載の表示装置。
【請求項３】
前記複数のゲート線のうち少なくとも１本の前記ゲート線は、少なくとも２本の前記ゲート引出線に電気的に接続される、
ことを特徴とする請求項１に記載の表示装置。
【請求項４】
前記複数のゲート引出線のうち所定数のゲート引出線を表示領域外で束ねる複数のゲート結束線をさらに含み、
前記複数のゲート結束線のそれぞれは、前記複数のゲート信号出力端子のそれぞれに電気的に接続され、該複数のゲート信号出力端子のそれぞれから出力された前記ゲート信号を前記所定数のゲート引出線に伝達する、
ことを特徴とする請求項１に記載の表示装置。
【請求項５】
前記複数のゲート結束線のそれぞれは、隣り合う複数のゲート引出線を表示領域外で束ねる、
ことを特徴とする請求項４に記載の表示装置。
【請求項６】
前記ソース信号出力端子から出力された前記ソース信号を前記複数のソース線に伝達する、複数のソース引出線をさらに含み、
表示領域外において、前記複数のソース引出線と前記複数のゲート結束線とは、平面的に見て、互いに交差しないように配置される、
ことを特徴とする請求項５に記載の表示装置。
【請求項７】
前記複数のゲート線と前記複数のゲート引出線との間に形成される第１絶縁膜をさらに含み、
前記複数のゲート線及び前記複数のゲート引出線のそれぞれは、前記第１絶縁膜に形成されたコンタクトホールを介して互いに電気的に接続される、
ことを特徴とする請求項１に記載の表示装置。
【請求項８】
前記複数のゲート引出線のそれぞれの線幅は、前記複数のソース線のそれぞれの線幅以下であり、
表示領域において、前記複数のゲート引出線のそれぞれは、平面的に見て、前記複数のソース線のそれぞれに重なる、
ことを特徴とする請求項１に記載の表示装置。
【請求項９】
前記複数のゲート線と前記複数のソース線との間に形成される第２絶縁膜をさらに含み、
前記第１絶縁膜は、前記複数のゲート引出線の上に形成され、
前記複数のゲート線は、前記第１絶縁膜の上に形成され、
前記第２絶縁膜は、前記複数のゲート線の上に形成され、
前記複数のソース線は、前記第２絶縁膜の上に形成される、
ことを特徴とする請求項７に記載の表示装置。
【請求項１０】
隣り合う２本の前記ソース線と隣り合う２本の前記ゲート線とこれらが交わる４つの交差部とで区画される画素領域において、画素電極に接続されるトランジスタは、前記ゲート線と前記ゲート引出線との接続部が位置する交差部とは異なる交差部に配置される、
ことを特徴とする請求項１に記載の表示装置。
【請求項１１】
表示パネルに形成されたゲート線及びソース線のそれぞれにゲート信号及びソース信号のそれぞれを出力する駆動回路であって、
前記ゲート信号を出力する少なくとも１つのゲート信号出力端子から成る第１出力端子群と、前記ソース信号を出力する少なくとも１つのソース信号出力端子から成る第２出力端子群と、を含み、
前記第１出力端子群は、隣り合う２つの前記第２出力端子群の間に配置される、
ことを特徴とする駆動回路。
【請求項１２】
少なくとも３つの前記第１出力端子群を含み、
前記第１方向に隣り合う２つの前記第１出力端子群の間に配置される前記ソース信号出力端子の数は、前記第１方向に隣り合う他の２つの前記第１出力端子群の間に配置される前記ソース信号出力端子の数と同一である、
ことを特徴とする請求項１１に記載の駆動回路。
【発明の詳細な説明】
【技術分野】
【０００１】
本発明は、表示装置及び表示装置に設けられる駆動回路に関する。
【背景技術】
【０００２】
従来、液晶表示装置等の表示装置において、表示領域の周囲の額縁領域の面積を小さくする（いわゆる狭額縁化）を実現するための技術が提案されている。例えば、特許文献１には、ゲート信号線駆動回路（ゲートドライバ）とソース信号線駆動回路（ソースドライバ）を表示領域の一方側（上側）に平行に配置することにより、狭額縁化を図る構成が開示されている。
【先行技術文献】
【特許文献】
【０００３】
【特許文献１】特開２００３−５８０７５号公報
【発明の概要】
【発明が解決しようとする課題】
【０００４】
しかしながら、特許文献１に開示された構成では、横方向の額縁領域の面積を小さくすることはできるが、ゲート信号線駆動回路及びソース信号線駆動回路が配置される縦方向の額縁領域の面積は大きくなり、結果的に、液晶表示装置全体としては額縁領域の面積を小さくすることは困難である。
【０００５】
本発明は、上記実情に鑑みてなされたものであり、その目的は、表示領域の周囲の額縁領域の面積を小さくすることができる表示装置及び駆動回路を提供することにある。
【課題を解決するための手段】
【０００６】
本発明に係る表示装置は、上記課題を解決するために、第１方向に延在する複数のゲート線と、前記第１方向とは異なる第２方向に延在する複数のソース線と、ゲート信号を出力する少なくとも１つのゲート信号出力端子から成る第１出力端子群と、ソース信号を出力する少なくとも１つのソース信号出力端子から成る第２出力端子群と、を含む駆動回路と、前記ゲート信号出力端子から出力された前記ゲート信号を前記複数のゲート線に伝達する、前記第２方向に延在する複数のゲート引出線と、を含み、前記複数のゲート線のそれぞれは、少なくとも１本の前記ゲート引出線に電気的に接続され、前記第１出力端子群は、前記第１方向に隣り合う２つの前記第２出力端子群の間に配置される、ことを特徴とする。
【０００７】
本発明に係る表示装置では、前記ソース信号出力端子から出力された前記ソース信号を前記複数のソース線に伝達する、複数のソース引出線をさらに含み、表示領域外において、前記複数のソース引出線と前記複数のゲート引出線とは、平面的に見て、互いに交差しないように配置される。
【０００８】
本発明に係る表示装置では、前記複数のゲート線のうち少なくとも１本の前記ゲート線は、少なくとも２本の前記ゲート引出線に電気的に接続される。
【０００９】
本発明に係る表示装置では、前記複数のゲート引出線のうち所定数のゲート引出線を表示領域外で束ねる複数のゲート結束線をさらに含み、前記複数のゲート結束線のそれぞれは、前記複数のゲート信号出力端子のそれぞれに電気的に接続され、該複数のゲート信号出力端子のそれぞれから出力された前記ゲート信号を前記所定数のゲート引出線に伝達する。
【００１０】
本発明に係る表示装置では、前記複数のゲート結束線のそれぞれは、隣り合う複数のゲート引出線を表示領域外で束ねる。
【００１１】
本発明に係る表示装置では、前記ソース信号出力端子から出力された前記ソース信号を前記複数のソース線に伝達する、複数のソース引出線をさらに含み、表示領域外において、前記複数のソース引出線と前記複数のゲート結束線とは、平面的に見て、互いに交差しないように配置される。
【００１２】
本発明に係る表示装置では、前記複数のゲート線と前記複数のゲート引出線との間に形成される第１絶縁膜をさらに含み、前記複数のゲート線及び前記複数のゲート引出線のそれぞれは、前記第１絶縁膜に形成されたコンタクトホールを介して互いに電気的に接続される。
【００１３】
本発明に係る表示装置では、前記複数のゲート引出線のそれぞれの線幅は、前記複数のソース線のそれぞれの線幅以下であり、表示領域において、前記複数のゲート引出線のそれぞれは、平面的に見て、前記複数のソース線のそれぞれに重なる。
【００１４】
本発明に係る表示装置では、前記複数のゲート線と前記複数のソース線との間に形成される第２絶縁膜をさらに含み、前記第１絶縁膜は、前記複数のゲート引出線の上に形成され、前記複数のゲート線は、前記第１絶縁膜の上に形成され、前記第２絶縁膜は、前記複数のゲート線の上に形成され、前記複数のソース線は、前記第２絶縁膜の上に形成される。
【００１５】
本発明に係る表示装置では、隣り合う２本の前記ソース線と隣り合う２本の前記ゲート線とこれらが交わる４つの交差部とで区画される画素領域において、画素電極に接続されるトランジスタは、前記ゲート線と前記ゲート引出線との接続部が位置する交差部とは異なる交差部に配置される。
【００１６】
本発明に係る駆動回路は、表示パネルに形成されたゲート線及びソース線のそれぞれにゲート信号及びソース信号のそれぞれを出力する駆動回路であって、前記ゲート信号を出力する少なくとも１つのゲート信号出力端子から成る第１出力端子群と、前記ソース信号を出力する少なくとも１つのソース信号出力端子から成る第２出力端子群と、を含み、前記第１出力端子群は、隣り合う２つの前記第２出力端子群の間に配置される、ことを特徴とする。
【００１７】
本発明に係る駆動回路は、少なくとも３つの前記第１出力端子群を含み、前記第１方向に隣り合う２つの前記第１出力端子群の間に配置される前記ソース信号出力端子の数は、前記第１方向に隣り合う他の２つの前記第１出力端子群の間に配置される前記ソース信号出力端子の数と同一である。
【発明の効果】
【００１８】
本発明に係る表示装置の構成によれば、表示領域の周囲の額縁領域の面積を小さくすることができる。
【図面の簡単な説明】
【００１９】
【図１】実施形態１に係る液晶表示装置の概略構成を示す平面図である。
【図２】ドライバＩＣ及びソース線の配置を示す平面図である。
【図３】ドライバＩＣ及びゲート線の配置を示す平面図である。
【図４】表示パネルの画素領域の概略構成を示す回路図である。
【図５】接続部の配置を模式的に示す平面図である。
【図６】ゲート信号の出力タイミングを示すタイミングチャートである。
【図７】表示パネルの概略構成を示す断面図である。
【図８】表示パネルの概略構成を示す断面図である。
【図９】表示パネルの概略構成を示す断面図である。
【図１０】表示パネルの概略構成を示す断面図である。
【図１１】ドライバＩＣの概略構成を示す平面図である。
【図１２】図１１のＡ１−Ａ２断面図である。
【図１３】図１１のＢ１−Ｂ２断面図である。
【図１４】図１１のＣ１−Ｃ２断面図である。
【図１５】ゲート引出線とゲート結束線の配置を示す平面図である。
【図１６】実施形態２に係る液晶表示装置の画素領域の概略構成を示す平面図である。
【図１７】ドライバＩＣ及びゲート引出線の配置を示す平面図である。
【図１８】接続部の配置を示す平面図である。
【図１９】実施形態３に係る液晶表示装置におけるトランジスタの配置を示す平面図である。
【図２０】トランジスタの他の配置を示す平面図である。
【図２１】トランジスタの他の配置を示す平面図である。
【図２２】実施形態４に係る液晶表示装置における断面図である。
【発明を実施するための形態】
【００２０】
本発明の一実施形態について、図面を用いて以下に説明する。以下では、液晶表示装置を例に挙げるが、本発明に係る表示装置は、液晶表示装置に限定されるものではなく、例えば有機ＥＬ（エレクトロルミネセンス）表示装置等であってもよい。また、以下では、液晶表示装置の複数の形態について説明する。各実施形態において共通する構成部材及び機能については適宜説明を省略する。
【００２１】
［実施形態１］
図１は、実施形態１に係る液晶表示装置の概略構成を示す平面図である。液晶表示装置１００は、主に、表示パネル２００と、表示パネル２００の背面側に配置されるバックライト（図示せず）とを含んで構成されている。表示パネル２００は、領域で大別すると、画像を表示する表示領域３００と、表示領域３００の外側周囲に位置する額縁領域４００とから成る。額縁領域４００は、視聴者から見て表示領域３００の左外側（左辺側）の左側領域４１０と右外側（右辺側）の右側領域４２０と上外側（上辺側）の上側領域４３０と下外側（下辺側）の下側領域４４０とから成る。
【００２２】
額縁領域４００の一辺には、画像表示を行うための駆動回路（以下、ドライバＩＣという。）が設けられる駆動回路領域４５０が含まれる。本液晶表示装置１００では、駆動回路領域４５０は上側領域４３０に含まれる。額縁領域４００における駆動回路領域４５０の場所は限定されず、液晶表示装置１００の構造（縦型又は横型等）に応じて決定される。また、駆動回路領域４５０は、額縁領域４００の一辺のみに含まれてもよいし、表示領域３００を介して対向する二辺に含まれてもよい。また、駆動回路領域４５０は、表示パネル２００の外部に設けられた回路基板に含まれてもよい。駆動回路領域４５０には、ドライバＩＣの他に、共通電圧発生回路及び制御回路（図示せず）が設けられてもよい。液晶表示装置１００では、ドライバＩＣを表示パネル２００のガラス基板上に直接搭載する、所謂ＣＯＧ（Chip On Glass）と呼ばれる実装方式を採用することができる。ドライバＩＣ２１０の詳細な構成は図１１を用いて後述するが、以下では、適宜図１１を参照しつつ表示パネル２００の全体構成について説明する。
【００２３】
図２は、ドライバＩＣ及びソース線の配置を示す平面図である。液晶表示装置１００は、複数のソース線ＳＬと、複数のソース引出線ＳＤと、複数のドライバＩＣ２１０とを含む。各ドライバＩＣ２１０は、各ソース線ＳＬに映像信号（ソース信号）を出力する複数のソース信号出力端子ＳＴ（第２出力端子）と、各ゲート線ＧＬに走査信号（ゲート信号）を出力する複数のゲート信号出力端子ＧＴ（第１出力端子）とを備える（図１１参照）。複数のドライバＩＣ２１０は、上側領域４３０において水平方向に並んで配置される。なお、複数のドライバＩＣ２１０は、上側領域４３０及び下側領域４４０に別々に配置されてもよい。各ソース引出線ＳＤは、ドライバＩＣ２１０の各ソース信号出力端子ＳＴに接続される。各ソース線ＳＬは、表示領域外において各ソース引出線ＳＤに電気的に接続され、表示領域内において垂直方向（第２方向）に延在する。各ソース線ＳＬと各ソース引出線ＳＤとは、同一層で直接接続されてもよいし、異なる層でコンタクトホールを介して接続されてもよい。また、複数のソース線ＳＬは、水平方向（第１方向）に略等間隔に配置される。
【００２４】
図３は、ドライバＩＣ及びゲート線の配置を示す平面図である。液晶表示装置１００は、さらに、複数のゲート線ＧＬと、複数のゲート引出線ＧＤと、複数のゲート結束線ＧＣと、を含む。各ゲート線ＧＬは、水平方向に延在する。また、複数のゲート線ＧＬは、垂直方向に略等間隔に配置される。各ゲート引出線ＧＤは、表示領域３００において垂直方向に延在し、水平方向に略等間隔に配置される。また、複数のゲート引出線ＧＤは、ドライバＩＣ２１０側の表示領域外において、２本ずつ束ねられて１本のゲート結束線ＧＣに電気的に接続される。各ゲート結束線ＧＣは、ドライバＩＣ２１０の各ゲート信号出力端子ＧＴに接続される（図１１参照）。平面的に見て、ゲート引出線ＧＤは、ゲート線ＧＬに交差し、ソース線ＳＬに重なるように配置される。ゲート引出線ＧＤは、ゲート線ＧＬとの交差部において該ゲート線ＧＬに電気的に接続される。詳細は後述するが、ソース線ＳＬ、ゲート線ＧＬ及びゲート引出線ＧＤは、絶縁膜を介して互いに異なる層に形成される。
【００２５】
各ドライバＩＣ２１０の各ソース信号出力端子ＳＴは、各ソース引出線ＳＤにソース信号を出力し、各ソース引出線ＳＤは、ソース信号を各ソース線ＳＬに伝達する。また、各ドライバＩＣ２１０の各ゲート信号出力端子ＧＴは、各ゲート結束線ＧＣにゲート信号を出力し、各ゲート引出線ＧＤは、ゲート信号を各ゲート線ＧＬに伝達する。表示パネル２００は、ソース信号とゲート信号とに応じて、表示領域３００に画像を表示する。
【００２６】
本液晶表示装置１００の表示領域３００の形状は特に限定されないが、例えば横長形状を有する。例えば、液晶表示装置１００の画面比（横：縦）が、１６：９、１６：１０、又は１５：１０でもよい。この場合、ソース線ＳＬの本数（ｍ本；ＲＧＢ別）及びゲート線ＧＬの本数（ｎ本）の割合（ｍ：ｎ）は、４９：９、４８：１０、又は４５：１０となる。また、１本のゲート線ＧＬに対するソース線ＳＬの本数の割合（ｍ／ｎ）は、５．３本、４．８本、又は４．５本となる。このように液晶表示装置１００は、ソース線ＳＬの本数（ｍ本）がゲート線の本数（ｎ本）よりも多い構成（ｍ＞ｎ）でもよい。
【００２７】
図４は、表示パネル２００の画素領域の概略構成を示す回路図である。図４では、説明の便宜上、ゲート引出線ＧＤとソース線ＳＬとを、平面的に見て平行に並んで配置しているが、本液晶表示装置１００の積層構造では、これらは重なって配置されてもよい。
【００２８】
表示パネル２００の表示領域３００には、複数（ｎ本）のゲート線ＧＬ及び複数（ｍ本）のソース線ＳＬによって区画された複数の画素領域ＰＡがマトリクス状に配置されている。表示パネル２００は、複数の画素領域ＰＡに形成された複数の画素電極ＰＥと、該複数の画素電極ＰＥに対応する共通電極ＣＥと、各ゲート線ＧＬ及び各ソース線ＳＬの交差部近傍に形成された複数のトランジスタＴＲとを含んでいる。各ゲート引出線ＧＤは、複数のゲート線ＧＬとの複数の交差部のうち１つの交差部において、１本のゲート線ＧＬに電気的に接続される。ゲート引出線ＧＤ及びゲート線ＧＬが電気的に接続する交差部を「接続部ＣＰ」と称す。各ソース線ＳＬは、各ソース引出線ＳＤに電気的に接続される。
【００２９】
また、隣り合う２本のゲート引出線ＧＤが１本に束ねられて１本のゲート結束線ＧＣに電気的に接続される。例えば、図４に示すように、ゲート引出線ＧＤ１、ＧＤ２がゲート結束線ＧＣ１に電気的に接続され、ゲート引出線ＧＤ３、ＧＤ４がゲート結束線ＧＣ２に電気的に接続され、ゲート引出線ＧＤ５、ＧＤ６がゲート結束線ＧＣ３に電気的に接続される。ゲート結束線ＧＣとゲート引出線とは、同一層において直接接続されてもよいし、異なる層においてコンタクトホールを介して電気的に接続されてもよい。
【００３０】
接続部ＣＰは、複数のゲート線ＧＬが並ぶ走査方向（垂直方向）と、ゲート引出線ＧＤが並ぶ水平方向とに基づく一定の規則に準じて配置される。また、１本のゲート線ＧＬに対して２箇所の接続部ＣＰが配置される。例えば、図４に示すように、ゲート線ＧＬ１及びゲート引出線ＧＤ１の交差部に接続部ＣＰ１が配置され、ゲート線ＧＬ１及びゲート引出線ＧＤ２の交差部に接続部ＣＰ２が配置され、ゲート線ＧＬ２及びゲート引出線ＧＤ３の交差部に接続部ＣＰ３が配置され、ゲート線ＧＬ２及びゲート引出線ＧＤ４の交差部に接続部ＣＰ４が配置され、ゲート線ＧＬ３及びゲート引出線ＧＤ５の交差部に接続部ＣＰ５が配置され、ゲート線ＧＬ３及びゲート引出線ＧＤ６の交差部に接続部ＣＰ６が配置される。
【００３１】
このように図４に示す例では、１本のゲート線ＧＬに対して接続部ＣＰが２箇所配置されており、各ゲート線ＧＬには、２本のゲート引出線ＧＤが電気的に接続されている。
【００３２】
図５は、表示領域３００における接続部ＣＰの配置を模式的に示す平面図である。図５に示すように、表示領域３００において、接続部ＣＰ１は左上端に配置され、接続部ＣＰ２は接続部ＣＰ１の右隣に配置され、接続部ＣＰ３は接続部ＣＰ２の右下に配置され、接続部ＣＰ４は接続部ＣＰ３の右隣に配置される。このように、隣り合う２つの接続部ＣＰのうち左側の接続部ＣＰが対角線ＤＬ１上に配置され、右側の接続部ＣＰが対角線ＤＬ２上に配置される。これにより、１番目からｎ番目までの全てのゲート線ＧＬに対して、２個所の接続部ＣＰにおいて２本のゲート引出線ＧＤに電気的に接続される。なお、接続部ＣＰは、対角線ＤＬ１、ＤＬ２が平行になるように配置される。但し、接続部ＣＰの配置は上記構成に限定されない。
【００３３】
次に、ドライバＩＣ２１０の駆動方法について説明する。図６は、ドライバＩＣ２１０のゲート信号出力端子ＧＴから出力されるゲート信号の出力タイミングを示すタイミングチャートである。ドライバＩＣ２１０は、各ゲート線ＧＬに順次ゲート信号（オン電圧、オフ電圧）を供給する。また、各ゲート線ＧＬには２本のゲート引出線ＧＤが電気的に接続されており、１つのゲート信号出力端子ＧＴから出力されるゲート信号は１本のゲート結束線ＧＣ及び２本のゲート引出線ＧＤを介して１本のゲート線ＧＬに供給される。このため、ゲート信号出力端子ＧＴから出力されるゲート信号は、２本のゲート引出線ＧＤに同時に供給される。
【００３４】
具体的には、ドライバＩＣ２１０のゲート信号出力端子ＧＴは、第１水平走査期間においてゲート引出線ＧＤ１、ＧＤ２に同時にオン電圧を出力してゲート線ＧＬ１にオン電圧を供給する。続いて、第２水平走査期間においてゲート引出線ＧＤ３、ＧＤ４に同時にオン電圧を出力してゲート線ＧＬ２にオン電圧を供給する。続いて、第３水平走査期間においてゲート引出線ＧＤ５、ＧＤ６にオン電圧を出力してゲート線ＧＬ３にオン電圧を供給する。このようにして、１番目のゲート線ＧＬ１からｎ番目のゲート線ＧＬ（ｎ）まで、順次ゲート信号（オン電圧、オフ電圧）を供給する。
【００３５】
ドライバＩＣ２１０のソース信号出力端子ＳＴは、ゲート信号のオン電圧及びオフ電圧の出力タイミングに合わせて、各ソース引出線ＳＤを介して各ソース線ＳＬにソース信号を出力する。ドライバＩＣ２１０がソース信号を出力する構成は周知の構成を適用することができる。
【００３６】
図７〜図９は、表示パネル２００の概略構成を示す断面図である。図７は、ゲート線ＧＬ１とゲート線ＧＬ２の間の画素領域ＰＡを水平方向に切断した場合の断面図を示す。図８は、ゲート線ＧＬ１上を水平方向に切断した場合の断面図を示す。図９は、ゲート線ＧＬ２上を水平方向に切断した場合の断面図を示す。なお、図８及び図９では、薄膜トランジスタ基板（ＴＦＴ基板）の一部を示している。
【００３７】
表示パネル２００は、背面側に配置される薄膜トランジスタ基板（ＴＦＴ基板２３０）と、表示面側に配置され、ＴＦＴ基板２３０に対向するカラーフィルタ基板（ＣＦ基板２４０）と、ＴＦＴ基板２３０及びＣＦ基板２４０の間に挟持される液晶層２５０と、を含んでいる。ＴＦＴ基板２３０には、ガラス基板２３１上にゲート引出線ＧＤが形成され、ゲート引出線ＧＤを覆うように第１絶縁膜２３２が形成され、第１絶縁膜２３２上にゲート線ＧＬが形成され、ゲート線ＧＬを覆うように第２絶縁膜２３３が形成され、第２絶縁膜２３３上にソース線ＳＬが形成される。また、第２絶縁膜２３３上には、その一部がソース線ＳＬ上に重なるように画素電極ＰＥが形成され、画素電極ＰＥを覆うように第３絶縁膜２３４が形成され、第３絶縁膜２３４上に共通電極ＣＥが形成され、ソース線ＳＬ及び共通電極ＣＥを覆うように配向膜２３５が形成される。画素電極ＰＥにはスリットが形成されている。ＣＦ基板２４０には、ガラス基板２４１上にブラックマトリクスＢＭ及びカラーフィルタＣＦが形成され、これらを覆うようにオーバーコート膜２４２が形成され、オーバーコート膜２４２上に配向膜２４３が形成される。ＴＦＴ基板２３０及びＣＦ基板２４０の外側には、偏光板２３６、２４４が形成される。
【００３８】
図８に示すように、ゲート引出線ＧＤ１上において第１絶縁膜２３２にコンタクトホールＣＨ１が形成されており、コンタクトホールＣＨ１内にゲート線ＧＬ１の金属材料が充填されている。コンタクトホールＣＨ１においてゲート引出線ＧＤ１とゲート線ＧＬ１の金属材料とが接触する部分が接続部ＣＰ１となり、接続部ＣＰ１において、ゲート引出線ＧＤ１とゲート線ＧＬ１とが電気的に接続される。また、ゲート引出線ＧＤ２上において第１絶縁膜２３２にコンタクトホールＣＨ２が形成されており、コンタクトホールＣＨ２内にゲート線ＧＬ１の金属材料が充填されている。コンタクトホールＣＨ２においてゲート引出線ＧＤ２とゲート線ＧＬ１の金属材料とが接触する部分が接続部ＣＰ２となり、接続部ＣＰ２において、ゲート引出線ＧＤ２とゲート線ＧＬ１とが電気的に接続される。このように、ゲート線ＧＬ１は、接続部ＣＰ１、ＣＰ２の２箇所において、２本のゲート引出線ＧＤ１、ＧＤ２に電気的に接続される。
【００３９】
同様に、図９に示すように、ゲート引出線ＧＤ３上において第１絶縁膜２３２にコンタクトホールＣＨ３が形成されており、コンタクトホールＣＨ３内にゲート線ＧＬ２の金属材料が充填されている。コンタクトホールＣＨ３においてゲート引出線ＧＤ３とゲート線ＧＬ２の金属材料とが接触する部分が接続部ＣＰ３となり、接続部ＣＰ３において、ゲート引出線ＧＤ３とゲート線ＧＬ２とが電気的に接続される。また、ゲート引出線ＧＤ４上において第１絶縁膜２３２にコンタクトホールＣＨ４が形成されており、コンタクトホールＣＨ４内にゲート線ＧＬ２の金属材料が充填されている。コンタクトホールＣＨ４においてゲート引出線ＧＤ４とゲート線ＧＬ２の金属材料とが接触する部分が接続部ＣＰ４となり、接続部ＣＰ４において、ゲート引出線ＧＤ４とゲート線ＧＬ２とが電気的に接続される。このように、ゲート線ＧＬ２は、接続部ＣＰ３、ＣＰ４の２箇所において、２本のゲート引出線ＧＤ３、ＧＤ４に電気的に接続される。
【００４０】
上記の構成によれば、ゲート引出線ＧＤとソース線ＳＬとの間に２層の絶縁膜（第１絶縁膜２３２、第２絶縁膜２３３）が介在するため、これらゲート引出線ＧＤとソース線ＳＬの間の容量形成を防ぐことができる。
【００４１】
また、図７〜図９に示すように、各ゲート引出線ＧＤは、その線幅Ｗｄが、各ソース線ＳＬの線幅Ｗｓ以下になるように形成される（Ｗｄ≦Ｗｓ）。例えば、ゲート引出線ＧＤの線幅Ｗｄ及びソース線ＳＬの線幅Ｗｓは、共に３．５ｕｍに設定される。また、各ゲート引出線ＧＤは、平面的に見て、各ソース線ＳＬに重なるように形成される。例えば、各ゲート引出線ＧＤは、その線幅中心が、各ソース線ＳＬの線幅中心と略一致するように形成される。これにより、ゲート引出線ＧＤは、ソース線ＳＬ間の領域（開口領域）に重なることがないため、ゲート引出線ＧＤを設けることによる画素の開口率の低下を防ぐことができる。
【００４２】
ここで、ゲート線ＧＬの線幅Ｗｇは、ソース線ＳＬの線幅Ｗｓ及びゲート引出線ＧＤの線幅Ｗｄよりも大きく、例えば１８．５ｕｍに設定される。一般に、信号に対する抵抗（配線抵抗）は、信号が流れる配線の長さ及び線幅（断面積）に応じて増減する。本液晶表示装置１００では、ゲート線ＧＬの線幅Ｗｇ（＝１８．５ｕｍ）に対して、ゲート引出線ＧＤの線幅（＝３．５ｕｍ）が小さくなっている。このため例えば、１本のゲート引出線ＧＤにおけるゲート信号に対する抵抗は、１本のゲート線ＧＬにおけるゲート信号に対する抵抗の約３倍となる。この結果、表示領域全体で高抵抗となり、表示ムラが生じ得る。この点、本液晶表示装置１００では、１本のゲート線ＧＬに対して２本のゲート引出線ＧＤが電気的に接続される。これにより、１本のゲート線ＧＬに対するゲート引出線ＧＤの合計の線幅（断面積）を増加（ここでは２倍）することができるため、ゲート信号に対する抵抗を低減することができる。よって、表示ムラ等に起因する表示品位の低下を防ぐことができる。
【００４３】
ここで、１本のゲート線ＧＬに電気的に接続されるゲート引出線ＧＤの本数は、２本に限定されず、３本以上であってもよい。例えば、画面比（横：縦）が１６：９の液晶表示装置１００において、１本のゲート線ＧＬに４本のゲート引出線ＧＤが電気的に接続されてもよい。
【００４４】
また、全てのソース線ＳＬの下層にゲート引出線ＧＤが配置されることが好ましい。この構成では、何れかのゲート引出線ＧＤにゲート信号が供給されない構成とすることもできる。例えば、接続部ＣＰが配置されないゲート引出線ＧＤにゲート信号が供給されない構成とすることができる。これにより、表示領域全体で層の高さを均一化することができる。
【００４５】
また、本液晶表示装置１００では、全てのゲート線ＧＬのそれぞれに対して複数のゲート引出線ＧＤが電気的に接続される必要はない。例えば、表示領域３００の上側領域では、１本のゲート線ＧＬに対して１本のゲート引出線ＧＤが電気的に接続され、表示領域３００の中央側領域では、１本のゲート線ＧＬに対して２本のゲート引出線ＧＤが電気的に接続され、表示領域３００の下側領域では、１本のゲート線ＧＬに対して３本のゲート引出線ＧＤが電気的に接続されてもよい。すなわち、ドライバＩＣ２１０が設けられる場所から遠い位置に配置されるゲート線ＧＬに対して電気的に接続されるゲート引出線ＧＤの本数が、ドライバＩＣ２１０が設けられる場所に近い位置に配置されるゲート線ＧＬに対して電気的に接続されるゲート引出線ＧＤの本数よりも多くなるように構成されてもよい。これにより、表示領域全体で抵抗を均一化することができ、表示品位を高めることができる。
【００４６】
また、図７〜図９に示す構成では、ゲート線ＧＬ及びゲート引出線ＧＤが、第１絶縁膜２３２を介して互いに異なる層に形成されているが、積層構造はこれに限定されない。例えば、ゲート線ＧＬ及びゲート引出線ＧＤが同一層に形成されてもよい。図１０は、ソース線ＳＬ及びゲート引出線ＧＤ１を垂直方向に切断した場合の断面図である。ゲート引出線ＧＤは、ゲート線ＧＬと同一面内において、隣り合う２本のゲート線ＧＬの間に分割して形成される。図１０に示すように、ガラス基板２３１上にゲート線ＧＬ及びゲート引出線ＧＤ１が形成され、これらを覆うように第１絶縁膜２３２が形成され、第１絶縁膜２３２上に、分割されたゲート引出線ＧＤを垂直方向に電気的に接続するためのブリッジ線ＧＢが形成され、ブリッジ線ＧＢを覆うように第２絶縁膜２３３が形成され、第２絶縁膜２３３上にソース線ＳＬ１が形成されてもよい。接続部ＣＰ１では、ゲート引出線ＧＤ１がゲート線ＧＬ１に直接接触する。ブリッジ線ＧＢは、接続部ＣＰ１以外の交差部において、ゲート線ＧＬ２、ＧＬ３を跨ぐように形成される。ブリッジ線ＧＢは、第１絶縁膜２３２に形成されたコンタクトホールＣＨを介して、ゲート線ＧＬの両側に配置された２本の分割されたゲート引出線ＧＤ１を電気的に接続される。
【００４７】
また、図７〜図９に示す構成において、ゲート線ＧＬが形成される層とゲート引出線ＧＤが形成される層が逆の構成でもよい。この場合には、ソース線ＳＬとゲート引出線ＧＤとの間に１層の絶縁膜（第２絶縁膜２３３）だけが介在することになるため、第２絶縁膜２３３の層厚を厚くすることが好ましい。
【００４８】
次に、ドライバＩＣ２１０の構成について説明する。図１１は、１つのドライバＩＣ２１０の概略構成を示す平面図である。
【００４９】
ドライバＩＣ２１０は、入力端子部２１１と出力端子部２１２とを備えている。入力端子部２１１は、例えばＦＰＣ（Flexible Printed Circuits）に接続され、制御信号、タイミング信号、映像信号等が入力される。出力端子部２１２は、複数のソース信号出力端子ＳＴと複数のゲート信号出力端子ＧＴとを含む。各ソース信号出力端子ＳＴは、ソース引出線ＳＤに電気的に接続され、各ソース引出線ＳＤにソース信号を出力する。各ゲート信号出力端子ＧＴは、ゲート結束線ＧＣに電気的に接続され、各ゲート結束線ＧＣにゲート信号を出力する。ソース引出線ＳＤとソース線ＳＬ、及び、ゲート結束線ＧＣとゲート引出線ＧＤは、それぞれ、同一層で直接接続されてもよいし、異なる層でコンタクトホール又は金属配線を介して接続されてもよい。
【００５０】
平面的に見て、ゲート信号出力端子ＧＴは、水平方向に並べられた隣り合う２つのソース信号出力端子ＳＴの間に配置される。例えば、図１１に示すように、ゲート信号出力端子ＧＴ１は、ソース信号出力端子ＳＴ１、ＳＴ２の間に配置され、ゲート信号出力端子ＧＴ２は、ソース信号出力端子ＳＴ３、ＳＴ４の間に配置され、ゲート信号出力端子ＧＴ３は、ソース信号出力端子ＳＴ５、ＳＴ６の間に配置される。
【００５１】
上記の構成では、隣り合う２つのソース信号出力端子ＳＴの間に１つのゲート信号出力端子ＧＴが配置されているが、液晶表示装置１００の構成はこれに限定されない。例えば、隣り合う２つのソース信号出力端子ＳＴの間に２つ以上のゲート信号出力端子ＧＴが並んで配置されてもよい。
【００５２】
このように、液晶表示装置１００では、各ドライバＩＣ２１０が、少なくとも１つのゲート信号出力端子ＧＴから成る第１出力端子群と、少なくとも１つのソース信号出力端子ＳＴから成る第２出力端子群と、を含み、第１出力端子群が、水平方向に並べられた隣り合う２つの第２出力端子群の間に配置される構成を有する。なお、図１１の例では、第１出力端子群は、１つのゲート信号出力端子ＧＴから成り、第２出力端子群は、２つのソース信号出力端子ＳＴから成る。
【００５３】
上記の構成によれば、１つのドライバＩＣがゲート信号出力端子ＧＴとソース信号出力端子ＳＴとを備えるため、駆動回路領域４５０の面積を小さくすることができる。これにより、表示領域の周囲全体の額縁領域の面積を小さくすることができる。また、特に、各ゲート信号出力端子ＧＴから各ゲート引出線ＧＤまでの距離を短くすることができるため、斜め配線となるゲート結束線ＧＣの長さを短くすることができる。さらに、額縁領域において、複数のゲート結束線ＧＣと複数のソース引出線ＳＤとを、平面的に見て交差しないように配置することもできる。これにより、配線を容易にレイアウトすることができるとともに、接触や断線等の配線不良を低減することができる。なお、ゲート結束線ＧＣとソース引出線ＳＤとは、同一層で形成されてもよいし、異なる層で形成されてもよい。
【００５４】
図１２は、図１１のＡ１−Ａ２断面図であり、図１３は、図１１のＢ１−Ｂ２断面図である。ここでは、ゲート結束線ＧＣ及びソース引出線ＳＤを含む複数の引出配線が、図１４に示すように、異なる２つの層に交互に配置される構成を説明する。この構成によれば、隣り合う引出配線同士の接触を防ぐことができる。
【００５５】
図１２に示すように、ガラス基板２３１上に、金属配線ＭＴ２が形成され、金属配線ＭＴ２を覆うように絶縁膜ＧＳＮが形成される。絶縁膜ＧＳＮ上には、ゲート結束線ＧＣ１が形成される。ゲート結束線ＧＣ１を覆うように、絶縁膜ＰＡＳが形成される。ドライバＩＣ２１０の下部において、絶縁膜ＧＳＮ及び絶縁膜ＰＡＳには、コンタクトホールＣＨ１０１が形成され、コンタクトホールＣＨ１０１内には、透明電極ＩＴＯ１が形成される。これにより、ゲート結束線ＧＣ１と金属配線ＭＴ２とが互いに電気的に接続される。また、絶縁膜ＰＡＳにはコンタクトホールＣＨ１０２が形成され、コンタクトホールＣＨ１０２内には、透明電極ＩＴＯ２が形成される。透明電極ＩＴＯ２には、異方性導電膜ＡＣＦ（Anisotropy Conductive Film)（樹脂性接着剤）に含まれる導電粒子ＤＢの一部が接触し、導電粒子ＤＢの他の部分にバンプＢＰ（例えば、金）が接触する。これにより、ゲート結束線ＧＣ１とゲート信号出力端子ＧＴとが、互いに電気的に接続される。ゲート結束線ＧＣ１は、表示領域３００側へ延在し、ゲート引出線ＧＤに電気的に接続される。ゲート結束線ＧＣ１とゲート引出線ＧＤとは、コンタクトホールを介して接続されてもよいし、両者の端部を覆う金属配線（ＩＴＯ）を介して接続されてもよい。
【００５６】
図１３に断面構成では、金属配線ＭＴ１が透明電極ＩＴＯ１，ＩＴＯ２同士を電気的に接続するように形成され、ソース引出線ＳＤ２がガラス基板２３１上に形成され表示領域３００側に延在する。コンタクトホールＣＨ２０２に形成された透明電極ＩＴＯ２と導電粒子ＤＢとを介して、金属配線ＭＴ１とソース信号出力端子ＳＴとが電気的に接続される。また、金属配線ＭＴ１とソース引出線ＳＤ２とが、コンタクトホールＣＨ２０１に形成された透明電極ＩＴＯ１を介して電気的に接続される。これにより、ソース引出線ＳＤ２とソース信号出力端子ＳＴとが電気的に接続される。ソース引出線ＳＤ２は、表示領域３００側へ延在し、ソース線ＳＬに電気的に接続される。ソース引出線ＳＤ２とソース線ＳＬとは、コンタクトホールを介して接続されてもよいし、両者の端部を覆う金属配線（ＩＴＯ）を介して接続されてもよい。上記の断面構造により、図１４に示す引出配線の配置が実現される。
【００５７】
ここで、以上に示した構成では、１本のゲート線ＧＬに２本のゲート引出線ＧＤが電気的に接続される構成であるが、他の構成として、１本のゲート線ＧＬに２以上のゲート引出線ＧＤが電気的に接続されてもよい。すなわち、液晶表示装置１００では、１本のゲート線ＧＬに電気的に接続される複数（所定数）のゲート引出線ＧＤが、ドライバＩＣ２１０側の表示領域外において１本に束ねられる。例えば、図１５に示すように、ゲート線ＧＬ１に電気的に接続されるゲート引出線ＧＤ１〜ＧＤ４が１本のゲート結束線ＧＣ１に束ねられ、ゲート線ＧＬ２に電気的に接続されるゲート引出線ＧＤ５〜ＧＤ８が１本のゲート結束線ＧＣ２に束ねられ、ゲート線ＧＬ３に電気的に接続されるゲート引出線ＧＤ９〜ＧＤ１２が１本のゲート結束線ＧＣ３に束ねられる。
【００５８】
以上の実施形態１の構成によれば、ドライバＩＣ２１０のゲート信号出力端子ＧＴに接続されるゲート結束線ＧＣの本数を減らすことができるため、駆動回路領域４５０の配線数を減らすことができる。また、表示領域３００の外周の領域は、液晶材をシールするためのシール領域となる。上記の構成によれば、配線数を減らすことができるためシール領域を広く確保することができる。
【００５９】
なお、複数のドライバＩＣ２１０はそれぞれが同一の構成であってもよいし、互いに異なる構成であってもよい。ドライバＩＣ２１０のゲート信号出力端子ＧＴ及びソース信号出力端子ＳＴは、１本のゲート線ＧＬに電気的に接続されるゲート引出線ＧＤの本数や接続部ＣＰの配置に応じて配列される。例えば、駆動回路領域４５０から遠い位置に配置される第１ゲート線ＧＬに対して電気的に接続されるゲート引出線ＧＤの本数が３本で、駆動回路領域４５０から近い位置に配置される第２ゲート線ＧＬに対して電気的に接続されるゲート引出線ＧＤの本数が２本の場合、第１ゲート線ＧＬに対応するドライバＩＣ２１０では、ゲート信号出力端子ＧＴが、ソース信号出力端子ＳＴの３個おきに配置され、第２ゲート線ＧＬに対応するドライバＩＣ２１０では、ゲート信号出力端子ＧＴが、ソース信号出力端子ＳＴの２個おきに配置される。
【００６０】
液晶表示装置１００は実施形態１に限定されず、以下の形態とすることもできる。以下では、実施形態１との相違点を中心に説明する。
【００６１】
［実施形態２］
図１６は、実施形態２に係る液晶表示装置１００における表示パネル２００の画素領域の概略構成を示す回路図である。実施形態２に係る液晶表示装置１００では、各ゲート引出線ＧＤが、各ゲート信号出力端子ＧＴに接続される。また、各ゲート線ＧＬには、１本のゲート引出線ＧＤが電気的に接続される。例えば、図１６に示すように、ゲート引出線ＧＤ１は接続部ＣＰ１においてゲート線ＧＬ１に電気的に接続され、ゲート引出線ＧＤ２は接続部ＣＰ２においてゲート線ＧＬ２に電気的に接続され、ゲート引出線ＧＤ３は接続部ＣＰ３においてゲート線ＧＬ３に電気的に接続される。ゲート引出線ＧＤとソース線ＳＬとは、平面的に見て重なるように配置されてもよいし、平行に並んで配置されてもよい。
【００６２】
また、各ゲート引出線ＧＤは、各ゲート信号出力端子ＧＴに接続される。ドライバＩＣ２１０において、ソース信号出力端子ＳＴとゲート信号出力端子ＧＴとは、水平方向に交互に配置される。
【００６３】
実施形態２に係る液晶表示装置１００において、１本のゲート線ＧＬに電気的に接続されるゲート引出線ＧＤの本数は、２本以上であってもよい。例えば、図１７に示すように、各ゲート線ＧＬに２本のゲート引出線ＧＤが電気的に接続されてもよい。図１７の構成では、それぞれのドライバＩＣ２１０が、同一のタイミングでゲート信号を出力する。例えば、左側のドライバＩＣ２１０のゲート信号出力端子ＧＴ１と、右側のドライバＩＣ２１０のゲート信号出力端子ＧＴ（ｎ＋１）とのそれぞれが、同一のゲート信号を同一のタイミングで、ゲート引出線ＧＤ１、ＧＤ（ｎ＋１）のそれぞれに出力する。
【００６４】
実施形態２に係る液晶表示装置１００における接続部ＣＰの配置は、図１７の配置に限定されない。図１７の構成では、接続部ＣＰは、対角線ＤＬ１、ＤＬ２が平行になるように配置されているが、図１８に示すように、接続部ＣＰは、対角線ＤＬ１、ＤＬ２が平行にならないように配置されてもよい。具体的には、表示領域３００において、接続部ＣＰ１は左下端に配置され、接続部ＣＰ２は接続部ＣＰ１の右上に配置され、各接続部ＣＰは、右上がりの対角線ＤＬ１上に配置される。また、接続部ＣＰ（ｍ）は、表示領域３００の右下端に配置され、接続部ＣＰ（ｍ−１）は接続部ＣＰ（ｍ）の左上に配置され、各接続部ＣＰは、右下がりの対角線ＤＬ２上に配置される。上記「ｍ」は、ソース線ＳＬの本数を表す。
【００６５】
ここで、１本のゲート線ＧＬに対して２本のゲート引出線ＧＤが電気的に接続される構成において、ゲート線ＧＬの本数（ｎ本）の２倍の数（２ｎ）が、ソース線ＳＬの本数（ｍ本）よりも少なくなる場合（ｎ＜ｍ）、接続部ＣＰに重ならないソース線ＳＬが存在することになる。換言すると、全てのソース線ＳＬの下層にゲート引出線ＧＤを配置する場合、ゲート信号が出力されない（接続部ＣＰを有さない）ダミーのゲート引出線ＧＤが存在することになる。この場合は、接続部ＣＰを表示領域３００の両端側から配置し、中央側の領域に接続部ＣＰが配置されないように構成することが好ましい。図１８の例では、中央側の３本のソース線ＳＬ及びゲート引出線ＧＤには、接続部ＣＰが配置されないように構成されている。
【００６６】
上記のように、表示領域３００の中央から両側に離れるほど、ドライバＩＣ２１０から接続部ＣＰまでの距離が長くなるように接続部ＣＰを配置する。上記の構成によれば、表示領域全体で抵抗を均一化することができ、表示品位を高めることができる。
【００６７】
［実施形態３］
図１９は、実施形態３に係る液晶表示装置１００におけるトランジスタＴＲの配置を示す平面図である。図１９では、接続部ＣＰの配置が図１５の構成である場合を示し、トランジスタＴＲに接続されるゲート線ＧＬ及びソース線ＳＬと、接続部ＣＰの位置とを示している。実施形態３に係る液晶表示装置１００では、接続部ＣＰが配置される画素領域ＰＡにおいて、トランジスタＴＲは、２本のゲート線ＧＬと２本のソース線ＳＬとが交わる４箇所の交差部のうち接続部ＣＰが配置されていない交差部に配置される。例えば、図１９に示すように、隣り合う接続部ＣＰを結んだ境界線Ｓ１よりも上側の領域では、トランジスタＴＲは、画素領域ＰＡの左上端の交差部に配置され、境界線Ｓ１よりも下側の領域では、トランジスタＴＲは、画素領域ＰＡの左下端の交差部に配置される。
【００６８】
上記の構成によれば、接続部ＣＰとトランジスタＴＲとの間の距離を大きくすることができるため、ゲート信号及びソース信号の干渉による電位変動を抑えることができる。
【００６９】
トランジスタＴＲの配置は上記構成に限定されない。例えば、接続部ＣＰの配置が図１７に示す構成の場合は、図２０に示すように、対角線ＤＬ１、ＤＬ２より垂直方向上側の領域では、トランジスタＴＲは画素領域ＰＡの左上端の交差部に配置され、対角線ＤＬ１、ＤＬ２より垂直方向下側の領域では、トランジスタＴＲは画素領域ＰＡの左下端の交差部に配置されてもよい。また、図２１に示すように、対角線ＤＬ１より垂直方向下側の領域では、トランジスタＴＲは画素領域ＰＡの左下端の交差部に配置され、対角線ＤＬ１とＤＬ２の間の領域では、トランジスタＴＲは画素領域ＰＡの左上端の交差部に配置され、対角線ＤＬ１より垂直方向上側の領域では、トランジスタＴＲは画素領域ＰＡの右上端の交差部に配置されてもよい。
【００７０】
［実施形態４］
図２２は、実施形態４に係る液晶表示装置１００における断面図である。図２２は、ゲート線ＧＬ１上を水平方向に切断した場合の断面図を示す。実施形態４に係る液晶表示装置１００のＴＦＴ基板２３０には、ガラス基板２３１上に第１ゲート引出線ＧＤａが形成され、第１ゲート引出線ＧＤａを覆うように第１絶縁膜２３２が形成され、第１絶縁膜２３２上にゲート線ＧＬが形成され、ゲート線ＧＬを覆うように第２絶縁膜２３３が形成され、第２絶縁膜２３３上に第２ゲート引出線ＧＤｂが形成され、第２ゲート引出線ＧＤｂを覆うように第４絶縁膜２３７が形成され、第４絶縁膜２３７上にソース線ＳＬが形成される。また図２２に示すように、第１ゲート引出線ＧＤａ１上において第１絶縁膜２３２にコンタクトホールＣＨ１ａが形成されており、コンタクトホールＣＨ１ａ内にゲート線ＧＬ１の金属材料が充填されている。また、ゲート線ＧＬ１上において第２絶縁膜２３３にコンタクトホールＣＨ１ｂが形成されており、コンタクトホールＣＨ１ｂ内にゲート引出線ＧＤｂ１の金属材料が充填されている。コンタクトホールＣＨ１ａ、ＣＨ１ｂにおいてゲート引出線ＧＤａ１、ＧＤｂ１とゲート線ＧＬ１の金属材料とが接触する部分が接続部ＣＰ１となり、接続部ＣＰ１において、２本のゲート引出線ＧＤａ１、ＧＤｂ１とゲート線ＧＬ１とが電気的に接続される。
【００７１】
このように、２本のゲート引出線ＧＤが平面視で重なり、これらが１箇所の接続部ＣＰにおいて１本のゲート線ＧＬに電気的に接続されてもよい。この構成によれば、ゲート線ＧＬの本数（ｎ本）がソース線ＳＬの本数（ｍ本）よりも多くなる（ｎ＞ｍ）、例えば表示領域３００が縦長形状の液晶表示装置にも適用することができる。
【００７２】
上記各実施形態に係る液晶表示装置は、互いの構成を組み合わせることもできる。また、各液晶表示装置は、様々な形態の液晶表示装置に適用することもできる。
【００７３】
例えば、隣り合う２本のゲート線ＧＬを同時に駆動する所謂２ライン同時駆動の液晶表示装置に適用することもできる。この場合は、各ゲート引出線ＧＤが、垂直方向に隣り合う２個所の接続部ＣＰにおいて、隣り合う２本のゲート線に電気的に接続される構成とすることができる。
【００７４】
また、表示領域を上下に分割して駆動する所謂上下分割駆動の液晶表示装置に適用することもできる。この場合は、各ゲート引出線ＧＤが、上側領域の接続部ＣＰにおいて１本のゲート線ＧＬに電気的に接続され、下側領域の接続部ＣＰにおいて他の１本のゲート線ＧＬに電気的に接続される構成とすることができる。
【００７５】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００７６】
１００  液晶表示装置、２００  表示パネル、３００  表示領域、４００  額縁領域、４１０  左側領域、４２０  右側領域、４３０  上側領域、４４０  下側領域、４５０  駆動回路領域、２１０  ドライバＩＣ、２１１  入力端子部、２１２  出力端子部、２３０  ＴＦＴ基板、２３１  ガラス基板、２３２  第１絶縁膜、２３３  第２絶縁膜、２３４  第３絶縁膜、２３５  配向膜、２３６  偏光板、２３７  第４絶縁膜、２４０  ＣＦ基板、２４１  ガラス基板、２４２  オーバーコート膜、２４３  配向膜、２４４  偏光板、ＧＬ  ゲート線、ＳＬ  ソース線、ＧＤ  ゲート引出線、ＣＰ  接続部、ＰＥ  画素電極、ＣＥ  共通電極、ＴＲ  トランジスタ、ＧＢ  ブリッジ線、ＤＬ  対角線、ＧＣ  ゲート結束線、ＢＭ  ブラックマトリクス、ＣＦ  カラーフィルタ、ＣＨ  コンタクトホール、ＳＴ  ソース信号出力端子、ＧＴ  ゲート信号出力端子、ＳＤ  ソース引出線、ＧＳＮ  絶縁膜、ＰＡＳ  絶縁膜、ＭＴ  金属配線、ＩＴＯ  透明電極、ＡＣＦ  異方性導電膜、ＢＰ  バンプ、ＤＢ  導電粒子。
【図１】
2016071083.tif 000003
【図２】
2016071083.tif 000004
【図３】
2016071083.tif 000005
【図４】
2016071083.tif 000006
【図５】
2016071083.tif 000007
【図６】
2016071083.tif 000008
【図７】
2016071083.tif 000009
【図８】
2016071083.tif 000010
【図９】
2016071083.tif 000011
【図１０】
2016071083.tif 000012
【図１１】
2016071083.tif 000013
【図１２】
2016071083.tif 000014
【図１３】
2016071083.tif 000015
【図１４】
2016071083.tif 000016
【図１５】
2016071083.tif 000017
【図１６】
2016071083.tif 000018
【図１７】
2016071083.tif 000019
【図１８】
2016071083.tif 000020
【図１９】
2016071083.tif 000021
【図２０】
2016071083.tif 000022
【図２１】
2016071083.tif 000023
【図２２】
2016071083.tif 000024